(57)【要約】【課題】  共同利用コンピュータシステムを利用した時のユーザ環境を過去にさかのぼって復元できるようにし、また、ユーザ環境情報の情報量がどんどん膨らむことを比較的抑えてユーザ環境情報を蓄積することができるようにする。【解決手段】  サーバＳ１は、ユーザが共同利用パソコンＣ１ｊを利用するごとに暗号化差分情報を受取って記憶するとき、暗号化差分情報とユーザが前回に利用した時に記憶した暗号化差分情報との差分を今回の暗号化差分情報として記憶し、ユーザごとに予め設定された利用回数を超えて暗号化差分情報を蓄積したか否かを判定し、ユーザ毎に予め設定された利用回数を超えて暗号化差分情報を蓄積したと判定したとき、ユーザに対応する暗号化差分情報の内で蓄積したときの最も古いものと最も古いものの次に古いものとをマージして一つの暗号化差分情報として記憶する。【選択図】  図１
2005149215.tif 000002
【特許請求の範囲】
【請求項１】
少なくとも１つの拠点に配置されたサーバと、複数の拠点にそれぞれ配置されるとともにネットワークを介して前記サーバに接続され、不特定多数のユーザによって利用可能な共同利用コンピュータとを備え、
前記サーバは、前記ユーザが前記複数の共同利用コンピュータのいずれかを利用したときのユーザ環境が示されたユーザ環境情報を前記ユーザと対応付けて蓄積し、前記複数の共同利用コンピュータそれぞれが共通する共通初期環境を有するように前記共通初期環境が示された共通初期環境情報を記憶し、前記ユーザが利用したときの前記ユーザ環境情報と前記共通初期環境情報との差分が示された差分情報を前記ユーザ環境情報として前記サーバに蓄積し、利用開始時に前記ユーザと対応付けて前記サーバに記憶された前記ユーザ環境情報を取得し、取得した前記ユーザ環境情報に基いて前記共通初期環境上に前記ユーザ環境を復元し、利用終了時に環境を前記共通初期環境に戻すよう構成された共同利用コンピュータシステムにおける前記サーバに記憶された前記ユーザ環境情報を蓄積するユーザ環境情報蓄積方法であって、
前記共同利用コンピュータは、前記ユーザが前記ユーザ環境を更新したか否かを判定し、更新したと判定すると、更新される前のユーザ環境と、更新された後のユーザ環境との差分情報を抽出し、抽出された前記差分情報を前記ユーザの鍵情報に基いて暗号化し、暗号化差分情報として前記ユーザと対応付けて前記サーバに受渡し、
前記サーバは、前記ユーザが前記共同利用コンピュータを利用するごとに前記暗号化差分情報を受取って記憶するとき、前記暗号化差分情報と前記ユーザが前回に利用したときに記憶した暗号化差分情報との差分を今回の暗号化差分情報として記憶し、前記ユーザごとに予め設定された利用回数を超えて前記暗号化差分情報を蓄積したか否かを判定し、前記ユーザごとに前記予め設定された利用回数を超えて前記暗号化差分情報を蓄積したと判定したとき、前記ユーザに対応する前記暗号化差分情報の内で蓄積したときの最も古いものと最も古いものの次に古いものとをマージして一つの暗号化差分情報として記憶することを特徴とする共同利用コンピュータシステムのユーザ環境情報蓄積方法。
【請求項２】
前記共同利用コンピュータは、前記ユーザが利用開始時に前記サーバに蓄積された該ユーザに対応する前記暗号化差分情報の中からいずれかを選択したとき、前記ユーザが選択した前記暗号化差分情報を前記サーバからダウンロードし、前記暗号化差分情報を復号し、復号された前記差分情報に基いて前記ユーザに対応するユーザ環境を復元する、請求項１に記載の共同利用コンピュータシステムのユーザ環境情報蓄積方法。
【請求項３】
前記共同利用コンピュータは、前記ユーザが前記サーバに蓄積された前記差分情報に含まれる特定のファイルを指定したとき、前記特定のファイルに基いて前記ユーザ環境を復元する、請求項１または請求項２に記載の共同利用コンピュータシステムのユーザ環境情報蓄積方法。
【発明の詳細な説明】
【技術分野】
【０００１】
本発明は、少なくとも１つの拠点に配置されたサーバと、複数の拠点にそれぞれ配置されるとともに通信手段を介してサーバに接続され、不特定多数のユーザによって利用される複数の共同利用コンピュータとを備えた共同利用コンピュータシステムのユーザ環境情報蓄積方法に関する。
【背景技術】
【０００２】
従来、レンタルオフィスやリモートオフィスなどの拠点に配置された汎用オペレーティングシステムのコンピュータを共同で利用するか（かかるパソコンを以下単に共同利用パソコンという）、または、各自でパソコンを持ち込んで利用する（かかるパソコンを以下単に持込パソコンというい）必要があった。
【０００３】
しかしながら、持込パソコンを使用する場合には、使用環境のカスタマイズは実現できるものの、複数の拠点で持込パソコンを利用しようとするとパソコン自体を持ち運ぶことが必須条件となり不便であった。
【０００４】
一方、共同利用パソコン（一般のスタンドアローンパソコン、オペレーティングシステム（以下単にＯＳという。）はマイクロソフト社製のＷｉｎｄｏｗｓ９８、ＷｉｎｄｏｗｓＸＰ等（いずれも登録商標））を使用する場合、自分の会社のネットワークにリモート接続したり、また、インターネットに接続したりするために、共同利用パソコンを利用する前に、ネットワークの接続を変更したり、メールソフトの各種の設定を行うことを余儀なくされ、日本語の入力に際しても、日本語の辞書等も共同利用となるため、効率が悪く不便であり、ファイルをハードディスクに保存する際の安全性については、常にユーザ自身が注意を払う必要があった。このような安全性についての問題点を解決する方法として、共同利用コンピュータ利用方法が特許文献１に開示されている。この共同利用コンピュータ利用方法では、ユーザが共同利用パソコンを利用するとき、自分が以前に使用していたユーザ環境を引き続き別の共同利用パソコンで復元して使用することが可能となり、共同利用パソコンが複数箇所に設置されている場合であって、その設置箇所がそれぞれ別の場所である場合でも、同様に自分が以前使用していたユーザ環境を引き続き別の共同利用パソコンで復元して使用することが可能となる。すなわち、特許文献１に開示されている共同利用コンピュータ利用方法では、ユーザ環境をバックアップした共同利用パソコンと、そのユーザ環境を復元する共同利用パソコンが別であり、それぞれ別の場所に設置されている場合でも、ユーザ環境を不都合なく復元することを可能とする。
【０００５】
また、ファイルをハードディスクに保存する際の安全性については、共同利用パソコンにおいて、ユーザが使った情報を当該共同利用パソコンにおいて鍵で暗号化し、暗号化した暗号文を当該共同利用パソコンに対するサーバの記憶手段に暗号化差分情報として記憶させておき、当該サーバに接続可能な共同利用パソコンを別途使用する際に、当該ユーザのみが使用可能なＩＣに記憶された鍵と共通の鍵をパラメータとして、当該暗号化差分情報を当該共同利用パソコンによって復号する、すなわち、共有鍵暗号方式によって暗号化差分情報への暗号化および暗号化差分情報の復号を行うようになっている。
【特許文献１】特開２００１−３４５８０号公報
【発明の開示】
【発明が解決しようとする課題】
【０００６】
上述した従来の共同利用コンピュータシステムでは、前回利用したときよりも過去にさかのぼって共同利用コンピュータシステムを利用したときのユーザ環境を復元したいとユーザから要求されても、前回よりも以前に共同利用コンピュータシステムを利用したときのユーザ環境は削除されるので復元することができなかった。
【０００７】
一方、ユーザが共同利用コンピュータシステムを利用するごとに、ユーザと対応つけてユーザ環境情報を蓄積したのでは、情報量がどんどん膨らむのでユーザの要求に対応できなかった。
【０００８】
したがって、本発明の目的は、共同利用コンピュータシステムを利用したときのユーザ環境を過去にさかのぼって復元できるようにし、また、ユーザ環境情報の情報量がどんどん膨らむことを比較的抑えてユーザ環境情報を蓄積することができる共同利用コンピュータシステムのユーザ環境情報蓄積方法を提供することにある。
【課題を解決するための手段】
【０００９】
本発明の共同利用コンピュータシステムのユーザ環境情報蓄積方法は、少なくとも１つの拠点に配置されたサーバと、複数の拠点にそれぞれ配置されるとともにネットワークを介してサーバに接続され、不特定多数のユーザによって利用可能な共同利用コンピュータとを備え、サーバは、ユーザが前記複数の共同利用コンピュータのいずれかを利用したときのユーザ環境が示されたユーザ環境情報をユーザと対応付けて蓄積し、複数の共同利用コンピュータそれぞれが共通する共通初期環境を有するように共通初期環境が示された共通初期環境情報を記憶し、ユーザが利用したときのユーザ環境情報と共通初期環境情報との差分が示された差分情報をユーザ環境情報としてサーバに蓄積し、利用開始時にユーザと対応付けてサーバに記憶されたユーザ環境情報を取得し、取得したユーザ環境情報に基いて共通初期環境上に前記ユーザ環境を復元し、利用終了時に環境を共通初期環境に戻すよう構成された共同利用コンピュータシステムにおける、サーバに記憶されたユーザ環境情報を管理するユーザ環境情報管理方法であって、共同利用コンピュータは、ユーザがユーザ環境を更新したか否かを判定し、更新したと判定すると、更新される前のユーザ環境と、更新された後のユーザ環境の差分情報を抽出し、抽出された差分情報をユーザの鍵情報に基いて暗号化し、暗号化差分情報としてユーザと対応付けてサーバに受渡し、サーバは、ユーザが共同利用コンピュータを利用するごとに暗号化差分情報を受取って記憶するとき、暗号化差分情報とユーザが前回に利用したときに記憶した暗号化差分情報との差分を今回の暗号化差分情報として記憶し、ユーザごとに予め設定された利用回数を超えて暗号化差分情報を蓄積したか否かを判定し、ユーザごとに予め設定された利用回数を超えて暗号化差分情報を蓄積したと判定したとき、ユーザに対応する暗号化差分情報の内で蓄積したときの最も古いものと最も古いものの次に古いものとをマージして一つの暗号化差分情報として記憶することを特徴としている。
【００１０】
この方法により、サーバは、今回の利用による暗号化差分情報とユーザが前回に利用したときに記憶した暗号化差分情報との差分を今回の暗号化差分情報として記憶し、ユーザごとに予め設定された利用回数を超えて暗号化差分情報が蓄積されているときには、ユーザに対応する暗号化差分情報の内で蓄積したときの最も古いものと最も古いものの次に古いものとをマージして一つの暗号化差分情報として記憶するようになっているので情報量がどんどん膨らむことを抑えることができる。
【００１１】
また、本発明の共同利用コンピュータシステムのユーザ環境情報蓄積方法は、共同利用コンピュータは、ユーザが利用開始時にサーバに蓄積されたユーザに対応する暗号化差分情報の中からいずれかを選択したとき、ユーザが選択した暗号化差分情報をサーバからダウンロードし、暗号化差分情報を復号し、復号された差分情報に基いてユーザに対応する使用環境を復元することを特徴としている。
【００１２】
この方法により、予め設定された利用回数までの過去にさかのぼってユーザ環境を共通初期環境上に復元することができる。
【００１３】
また、本発明の共同利用コンピュータシステムのユーザ環境情報蓄積方法は、共同利用コンピュータが、ユーザがサーバに蓄積された差分情報に含まれる特定のファイルを指定したとき、特定のファイルに基いて使用環境を復元することを特徴としている。
【００１４】
この方法により、予め設定された利用回数までの過去にさかのぼって特定のファイルを共通利用コンピュータ上に復元することができる。
【発明の効果】
【００１５】
本発明は、共同利用コンピュータシステムにおいて、ユーザがユーザ環境を更新したか否かを判定し、ユーザ環境の更新前後の差分情報を抽出し、抽出された差分情報をユーザの鍵情報に基いて暗号化し、暗号化差分情報としてユーザと対応付けてサーバに受渡し、サーバは、ユーザが共同利用コンピュータを利用するごとに暗号化差分情報を受取って記憶するとき、暗号化差分情報とユーザが前回に利用したときに記憶した暗号化差分情報との差分を今回の暗号化差分情報として記憶し、ユーザごとに予め設定された利用回数を超えて暗号化差分情報を蓄積したか否かを判定し、ユーザごとに予め設定された利用回数を超えて暗号化差分情報を蓄積したと判定したとき、ユーザに対応する暗号化差分情報の内で蓄積したときの最も古いものと最も古いものの次に古いものとをマージして一つの暗号化差分情報として記憶することにより、過去にさかのぼって共同利用コンピュータシステムを利用したときのユーザ環境を復元したり、情報量がどんどん膨らむことを比較的抑えてユーザ環境情報を蓄積することができる。
【発明を実施するための最良の形態】
【００１６】
以下、本発明の実施の形態について図面を参照して説明する。
【００１７】
まず、本発明の共同利用コンピュータシステムのユーザ環境情報蓄積方法を実現する共同利用コンピュータシステム、特にシェアードＰＣ（以下、単に共同利用パソコンという）の構成と動作について説明をする。
【００１８】
共同利用パソコンは、外出中のビジネスマン等が自社のオフィスで利用するパソコンと同じ使用環境で仕事を行うことを可能にするものであり、複数のユーザが利用可能な共同利用スペース（例えばレンタルオフィス、自分の会社内の共同作業スペース等）に設置される。
【００１９】
ここで、ターゲットとなるユーザとしては、例えば、外出中にインターネットに接続し、メールを読んだり、ネットサーフィンを行いたい者や、出先においてオフィス等のパソコンアプリケーションで利用作成を行いたい者、スケジュールの合間等に時間を潰したい者等が挙げられる。
【００２０】
共同利用パソコンには、ＯＳとして汎用ＯＳ（Ｗｉｎｄｏｗｓ９８、ＷｉｎｄｏｗｓＸＰ等）を採用し、標準的なアプリケーション（文書作成ソフト、メールソフト、ＷＥＢブラウザ）を何種類かインストール済みとし、不特定多数のユーザが共同で利用する。
【００２１】
図１から３はそれぞれ共同利用コンピュータシステムの第１、第２、第３の例の構成図である。なお、システム自体の構成は、図１から図３に示す共同利用コンピュータシステム１００、１０１、１０２以外の他の構成であってもよく、構成の規模、通信網の整備規模等の状況に応じて、またユーザのニーズに応じて適宜変更し得る。
【００２２】
まず、図１を参照し、共同利用コンピュータシステム１００について説明する。共同利用コンピュータシステム１００は、会社Ｃに構築されているＬＡＮ等の内部通信網ＮＷＣと、レンタルオフィスＬＯ１に構築されているＬＡＮ等の内部通信網ＮＷ１とを、それぞれゲートウェイＧＷを介してインターネットを始めとする外部の各種情報通信網（通信手段）ＮＷと接続可能とする構成である。
【００２３】
会社Ｃに構築されている内部通信網ＮＷＣには、サーバＳＣおよび複数のパーソナルコンピュータ（以下単にパソコンという）が接続されている。説明上、複数のパソコンのうち自己専用パソコンＣＣを一台取り上げて説明する。
【００２４】
通常、ユーザは、自己専用パソコンＣＣからサーバＳＣにアクセスして、メールの読み書き、各種のネットワークサービス、ファイルサーバアクセスといった社内ネットワークサービスを利用しているほか、自己専用パソコンＣＣ内で資料作成等を行っている。
【００２５】
一方、レンタルオフィスＬＯ１の内部通信網ＮＷ１には、不特定多数のユーザが利用する共同利用パソコンＣ１ｊ（添え字ｊは、レンタルオフィスＬＯ１に配設される複数の共同利用パソコンのナンバー１〜Ｍとの対応を示しているが、レンタルオフィスＬＯ１に配設される共同利用パソコンが１台でもよい。）が接続されると共に、内部通信網ＮＷ１上のサーバＳ１が接続されている。サーバＳ１には、ユーザ情報データベースＤ１１と暗号化差分ファイル群Ｄ１２なるデータを適宜蓄積する。
【００２６】
共同利用コンピュータシステム１００は、レンタルオフィスＬＯ１にユーザが任意の契機で赴き、会社Ｃの自分専用のパソコンＣＣと同一の使用環境において共同利用パソコンＣ１ｊを利用可能にするシステムである。そのため、使用環境を示す使用環境情報を保存したり、使用環境を復元するためのサーバＳ１が必ず必要となる。
【００２７】
次に、図２を参照し、共同利用コンピュータシステム１０１について説明する。図２に示す共同利用コンピュータシステム１０１は、図１に示した共同利用コンピュータシステム１００の別形態であり、レンタルオフィスＬＯ１、ＬＯ２、・・、ＬＯＮというように複数のレンタルオフィスが存在する場合である。
【００２８】
レンタルオフィスＬＯｋ（添え字ｋはレンタルオフィスのナンバーであり、１〜Ｎの任意の数）は、共同利用コンピュータシステム１００におけるレンタルオフィスの１つの拠点であり、いずれも図１におけるレンタルオフィスＬＯ１と同一の構成であり、サーバＳｋおよび共同利用パソコンＣｋ１、・・、Ｃｋｊ（添え字ｋはレンタルオフィスとの対応を示している）が存在する。
【００２９】
各拠点におけるサーバＳ１、・・、ＳＮに蓄積されるファイル群（暗号化差分ファイル群）は、データを一定時間毎に定期的に公知の手法であるミラーリングにすることにより（別の手法であっても差し支えない）同期を取り、同期を取った後は、各サーバＳ１、・・、ＳＮにおける当該ファイル群は最新の同一内容とするように、自動更新される。かかる構成により、いずれの共同利用パソコンＣ１１、・・、ＣＮｊからでも作業環境の保存、復元を行うことができる。
【００３０】
次に、図３を参照し、共同利用コンピュータシステム１０２について説明する。図３に示す共同利用コンピュータシステム１０２は、共同利用コンピュータシステム１００、１０１とは別形態であり、レンタルオフィスＬＯ１〜ＬＯＮのように複数のレンタルオフィスが存在し、複数のレンタルオフィスに設置される１つまたは複数の共同利用パソコンＣ１１、・・、ＣＮｊに対するサーバＳを、インターネット等の外部通信網により接続可能とする構成である。各レンタルオフィスＬＯ１、・・、ＬＯＮに設置される共同利用パソコンＣ１１、・・、ＣＮｊは、図１における共同利用パソコンと同一構成である。
【００３１】
共同利用コンピュータシステム１０２では、共同利用コンピュータシステム１０１のように、各レンタルオフィスにサーバＳ１、・・、ＳＮが設置されることなく、共通オフィスＬＯにのみサーバＳが設置されている。すなわち、共同利用コンピュータシステム１０２におけるファイル群（差分情報ファイル群）にアクセスする際には、レンタルオフィスＬＯ１、・・、ＬＯＮの全ての拠点から、インターネット等の外部通信網ＮＷを経由して、サーバＳにアクセスすることにより、複数の共同利用パソコンＣ１１、・・、ＣＮｊのいずれからでも、同様に作業環境の保存、復元を行うことができる。
【００３２】
以上、図１から３に共同利用コンピュータシステムの３つの異なった構成を示したが、共同利用コンピュータシステムはこれら図１から３に示した構成ものに限定されない。例えば、会社ＣのサーバＳＣにおいて、レンタルオフィスＬＯｋまたは共通オフィスＬＯに設置のサーバＳ１、・・、ＳＮ、Ｓを設置することも可能である。共同利用コンピュータシステムの構成は、以下に説明する共同利用コンピュータシステムを実現する範囲において適宜変更できる。
【００３３】
次に、図１を参照し、共同利用コンピュータシステム１００においてレンタルオフィスＬＯ１に設置された共同利用パソコンＣ１１の利用手順を説明することにより、共同利用コンピュータシステムの動作を説明する。
【００３４】
また、図２および図３における共同利用コンピュータシステム１０１、１０２の場合であっても、動作は同様である。また、図４に示すように、図２に示す共同利用コンピュータシステム１０１であっても、図２と図４のように異なる利用の仕方がある。
【００３５】
また、図中の「会社」、「レンタルオフィス」なる文言は、説明上、本発明の構成、特徴の理解を容易にするために過ぎず、本発明の内容を限定するものではない。会社は、共同利用パソコンを使用する頻度が最も高い場所としての例示であり、レンタルオフィスは、共同作業スペースの例示である。
【００３６】
＜初回利用手順＞
まず、ユーザがレンタルオフィスＬＯ１を初めて利用する場合の動作を説明する。初めて利用する場合には、以下の手順１〜手順５に従うことになる。
【００３７】
手順１として、ユーザは、レンタルオフィスＬＯ１を使用するに当たり、初回の利用時には、前もって、会社Ｃ（自己専用パソコンＣＣ）からサーバＳ１にアクセスして、ユーザＩＤおよびパスワードで構成されるユーザ情報をユーザ情報データベースＤ１１に登録しておく（データの流れをＦ１で示す）。なお、パスワードは暗号化パスワードであることが好ましい。
【００３８】
手順２として、ユーザが、レンタルオフィスＬＯ１の利用を思い立ち、レンタルオフィスＬＯ１に赴くと、共同利用パソコンＣ１１の利用に先立ち、ユーザ情報データベースＤ１１に基づいてユーザの正当性を認証する（データの流れをＦ２で示す）。
【００３９】
手順３として、上記手順２により環境が構築された共同利用パソコンＣ１１を使用して、インターネットへの接続や各種文書等の作成を行う（データの流れをＦ３で示す）。
【００４０】
手順４として、図７に示すように、共同利用パソコンＣ１１の利用が終了の際に、ユーザの使用環境（共同利用パソコンＣ１１に記憶させた情報も含む）をサーバＳ１の暗号化差分ファイル群Ｄ１２として保存する。これには、共同利用パソコンＣ１１から削除した情報は暗号化差分ファイル群Ｄ１２から削除されることも含まれる（データの流れをＦ４で示す）。なお、手順３において、共同利用パソコンＣ１１のハードディスクの変化に応じて、任意に、または定期的に手順４を行ってもよい。
【００４１】
手順５として、共同利用パソコンＣ１１内の情報をハードディスクＨＤの第１の記憶領域ＨＤ１に記憶された暗号化差分情報を全て完全に消去する。例えば、利用したハードディスクＨＤの第１の記憶領域ＨＤ１をフォーマットする。この第１の記憶領域ＨＤ１はユーザの使用環境を構築する領域であり、この第１の記憶領域１にユーザの使用環境を構築することにより安全性を確保することができる。
【００４２】
以上説明したように、初回利用のユーザの行動と利用手順は、手順１→手順２→手順３→手順４→手順５を標準とする。
【００４３】
＜２回目以降の手順＞
次に、レンタルオフィスＬＯ１の利用が２回目以降の場合の利用手順について説明を行う。２回目以降は、ユーザが前回またはそれ以前に共同利用パソコンを利用したときの作業環境を接続可能であり、以下の手順で行う。
【００４４】
手順６として、ユーザが、２回目以降にレンタルオフィスＬＯ１の使用を思い立ち、レンタルオフィスＬＯ１に赴いて、共同利用パソコンＣ１１（前回の利用した共同利用パソコンと同一である必要性はない。図４参照）を使用するに先立ち、ユーザの正当性を認証し、前回またはそれ以前に共同利用パソコンＣ１１を利用したときに手順４で保存した環境を、暗号化差分ファイル群Ｄ１２から共同利用パソコンＣ１１に復元する（データの流れをＦ６に示す）。
【００４５】
それ以降は、上記手順３、手順４、手順５を順に行う。すなわち、２回目以降のユーザの行動および利用手順は、手順６→手順３→手順４→手順５を標準とする。
【００４６】
ここで、注目すべき事項は以下の通りである。すなわち、注目事項１は、ユーザは通常会社で作業をしているが、外出中にいずれかのレンタルオフィスで共同利用パソコンを利用可能できる点にある。注目事項２は、ユーザがレンタルオフィスの共同利用パソコンを使用するに際し、自分が以前にレンタルオフィスで使用した環境の続きから使用環境を引き続き使用可能にする。すなわち、いずれのレンタルオフィスに設置されたいずれの共同利用パソコンであっても使用環境を継続して使用可能である点にある。注目事項３はユーザのデータに関する安全性は、ユーザが意識することなく、万全を保つことが可能である点にある。
【００４７】
図５は、本発明の共同利用コンピュータシステムのユーザ環境情報蓄積方法の実施に必要となる範囲のサーバＳ１および共同利用パソコンＣ１ｊの内部構成を示している。当然ながら通常のサーバ、パソコンに備わる機能は含まれているが、図面上は省略されている。
【００４８】
また、図５に示したサーバＳ１および共同利用パソコンＣ１ｊの内部構成は、図１に示した共同利用コンピュータシステム１００に限らず、図２、図３、図４に示した共同利用コンピュータシステム１０１、１０２に適用された場合であっても同様である。図５は、その内部構成、機能、および差分情報利用方法を説明するための図面であり、内部通信網ＮＷＣ、ＮＷ１、・・、外部通信網ＮＷ、ゲートウェイＧＷ等はラインＬで示してある。また、矢印は各種情報のやり取りを示す。
【００４９】
共同利用パソコンＣ１ｊ（ｊは任意の数）は、共同利用パソコンＣ１ｊを使用する際に必要となるＩＣカード３を読み取るＩＣカードリーダ／ライター（以下単にＩＣカードＲ／Ｗという。）４と、キーボード、マウス、マイク等の入力部５を備え、内部には、当該共同利用パソコンの内部を制御するメイン制御部６と、ＩＣカード３に記憶されている情報への読み書きを行うカード情報読み書き部７と、共通初期環境をハードディスクＨＤに構築する共通初期環境復元部１０と、サーバＳ１の暗号化差分ファイル群Ｄ１２とハードディスクＨＤの情報とを比較し、変更ファイルリストおよび削除ファイルリストからなる差分リストを抽出する差分抽出部１１と、差分抽出部１１によって抽出された差分リストを基に変更ファイルリストのファイル群を暗号化し暗号化差分ファイル群Ｄ１２に記憶させ削除ファイルリストのファイル群を暗号化差分ファイル群Ｄ１２から削除する一方、暗号化差分ファイル群Ｄ１２の各ファイルを復号し、ハードディスクＨＤに記憶させる暗号化／復号サーバ読み書き部１２と、ハードディスクＨＤ等の記録部を有している。
【００５０】
サーバＳ１は、少なくとも設定登録部２１、ＣＧＩプログラム２２、ユーザ情報データベースＤ１１、暗号化差分ファイル群Ｄ１２を備える。自己専用パソコンＣＣにはＷＥＢブラウザ３３を備える。
【００５１】
ここで、図１および図５を参照しながら、上記手順に従い、共同利用コンピュータシステム１００の各部の詳細を含め共同利用コンピュータシステムの実施形態につき、説明する。なお、上記手順のうち、手順３および手順５については、周知事項であるので、説明を省略する。
【００５２】
なお、初めて共同利用コンピュータシステム１００を使用するに先立ち（手順１と手順２の間）、ユーザには、利用に必携となるユーザ毎にＩＣカード３が交付されており、ＩＣカード３には、ＩＣカード３のユーザＩＤ（ユーザＩＤ＝ｉ）、秘密鍵ＸＫｉ、ユーザが手順１で設定したユーザＩＤおよびパスワードが登録されている。ここでのユーザＩＤのｉと秘密鍵ＸＫｉの添え字ｉとは同一の番号である。また、サーバＳ１には秘密鍵ＸＫｉと対となる公開鍵ＹＫｉが登録されている。
【００５３】
ユーザＩＤは、共同利用パソコンを利用するユーザを特定する情報である。また、公開鍵Ｘｉは共同利用パソコンＣ１１の利用終了の際にメイン制御部６によって生成されるセッション鍵ＳＫｉを暗号化するための鍵であり、秘密鍵ＸＫｉは、共同利用パソコンＣ１１の利用開始時にセッション鍵ＳＫｉを復号する鍵である。なお、このセッション鍵ＳＫｉは暗号化差分ファイル群Ｄ１２の各ファイル情報に対して１つずつ（１対１の関係）関連付けられてサーバＳ１上に保管されるものである。
【００５４】
また、パスワードはＩＣカード３を持っているユーザの正当性をカード内で確認するものであり、ユーザが入力部５によって入力したパスワードと予めカード内に記憶するパスワード情報とを照合（ＩＣカード３内での照合が望ましい）し、ＩＣカードの所持者として正当でないと評価したとき、当該ＩＣカード３にはアクセス不能とする。
【００５５】
＜＜手順１＞＞
手順１は、使用環境を事前に登録する手順である。ユーザは会社Ｃの自己専用パソコンＣＣからレンタルオフィスＬＯ１のサーバＳ１上で起動中の設定登録部２１にアクセスし、ユーザの自己専用パソコンＣＣの使用環境をサーバＳ１に登録する。具体的には、以下の通りである。
【００５６】
まず、自己専用パソコンＣＣからサーバＳ１上で起動中の設定登録部２１（ＷＥＢサーバで等構成）にアクセスすると、ＣＧＩプログラム２２が起動され、設定登録部２１が表示する設定画面が自己専用パソコンＣＣに表示される。
【００５７】
ユーザは、表示された設定画面ＷＥＢブラウザ等から任意のユーザＩＤおよびパスワードを入力部５を用いて入力する（手順１−１）。
【００５８】
そして、ＣＧＩプログラム２２が、設定登録部２１からユーザＩＤおよびパスワードを受け取り、ユーザＩＤ＝ｉをキーとしてユーザ情報データベースＤ１１に登録する（手順１−２）。
【００５９】
＜＜手順２＞＞
手順２は、共同利用パソコンを初めて利用するユーザが、ユーザの正当性を認証する手続である。なお、このとき、共同利用パソコンの環境は共通初期環境に復元されている。すなわち、共同利用パソコンＣ１ｊのハードディスクＨＤの第１の記憶領域ＨＤ１が共通初期環境になっていればよい。共通初期環境復元およびその前提となる共通初期環境作成についての詳細は後述する。
【００６０】
まず、ユーザは、共同利用パソコンＣ１ｊに接続されたＩＣカードＲ／Ｗ４にＩＣカード３（ここで、ユーザＩＤはＩＤ＝ｉとする）を挿入（または提示）する（手順２−１）。
【００６１】
次いで、ユーザは、共同利用パソコンＣ１ｊの画面から、上記手順１で事前に登録した「パスワード」を、図示しない表示画面を見ながら、入力部５に入力し、メイン制御部６が、入力されたパスワードを一時的に記憶する（手順２−２）。
【００６２】
次いで、メイン制御部６は、カード情報読み書き部７に対して、ＩＣカード３に記憶されたユーザＩＤと秘密鍵ＸＫｉの読み出しを指示すると共に、該記憶したパスワードをカード情報読み書き部７に渡す（手順２−３）。
【００６３】
次いで、カード情報読み書き部７がパスワードを受け取り、受け取ったパスワードをＩＣカード３上で照合の上、ユーザＩＤおよび秘密鍵ＸＫｉの読み出しを行い、メイン制御部６にユーザＩＤと秘密鍵ＸＫｉを渡す（手順２−４）。
【００６４】
次いで、メイン制御部６が、サーバＳ１上のユーザ情報データベースＤ１１からユーザＩＤがｉに対応するレコードを検索して、当該レコード上のユーザＩＤと一時的に記憶したパスワードを読み出した後に、ユーザＩＤとパスワードが入力されたデータとそれぞれ同一か判断して確認（認証）し、正当に認証されると手順３に進む。この時点でＩＣカード３はＩＣカードＲ／Ｗ４から抜き出してもよい。
【００６５】
なお、上述した認証方法は、ＵＮＩＸのＭＡＣ認証のような手法でもよく、認証が行えれば手法は問わない。また、手順２では、ファイルリストＦＬ１ｉが作成されサーバＳ１上に保存される。なお、ここでのユーザＩＤのｉとファイルリストＦＬ１ｉの添え字ｉとは同一の番号である。
【００６６】
＜＜手順４＞＞
手順４は、共同利用パソコンＣ１ｊの利用が終了の際に、使用環境をサーバＳ１に保存する手順である。なお、終了時に行う必然性はなく、共同利用パソコンＣ１ｊを使用中、定期的、あるいは任意に行ってもよい。
【００６７】
ここでのポイントは、ユーザがバックアップすること自体に要する時間を極力短くすること、共同利用パソコンＣ１ｊからサーバＳ１へ送られ、かつサーバＳ１で記憶される情報が共同利用パソコンＣ１ｊ内（ＩＣカード３内を含む）で暗号化されること等が挙げられる。以下の説明においては、共同利用パソコンの利用終了時における場合を取り上げる。
【００６８】
バックアップ処理の開始時には、ハードディスクＨＤの第２の記憶領域ＨＤ２にファイルリストＦＬ２ｉを作成する。なお、ここでのユーザＩＤのｉとファイルリストＦＬ２ｉの添え字ｉとは同一の番号である。
【００６９】
このファイルリストＦＬ２ｉにはファイル情報が記憶されるようになっており、ファイル情報としてはファイル名とプロパティとが含まれ、プロパティにはファイルサイズ、タイムスタンプ、属性情報（読取専用、隠しファイル等）が含まれる。そして、ファイルリストＦＬ２ｉには新規に作成されたファイルに関しては新規のファイル情報を記憶し、変更されたファイルに関しては変更されたプロパティを記憶し、削除されたファイルに関しては、例えばファイルサイズにマイナスの属性が付与されたプロパティを記憶する。
【００７０】
メイン制御部６は、サーバＳ１からファイルＦＬ１を読み出すと共にハードディスクＨＤの第２の記憶領域ＨＤ２に記憶されたファイルリストＦＬ２ｉを読み出した後、差分抽出部１１を起動させ、ファイルリストＦＬ１、ＦＬ２ｉに記憶されたファイル情報を差分抽出部１１に渡す（手順４−１）。
【００７１】
次いで、差分抽出部１１は、サーバＳ１から読み出されたファイルリストＦＬ１ｉのファイル情報とハードディスクＨＤの第２の記憶領域ＨＤ２から読み出されたファイルリストＦＬ２ｉのファイル情報を比較し、以下の認識をする。
Ａ）ファイルリストＦＬ１ｉに存在せず、ファイルリストＦＬ２ｉに存在するファイルについては、新規ファイルとして認識する。
Ｂ）ファイルリストＦＬ１ｉ、ＦＬ２ｉの両方に存在するファイルについては、プロパティが変更されたもの、例えば、属性情報やタイムスタンプが変更されているもの、あるいはファイルサイズが変更されたものを更新ファイルとして認識する。
Ｃ）ファイルリストＦＬ１ｉに存在し、ファイルリストＦＬ２ｉに存在しないファイル（すなわち、ファイルサイズにマイナスの属性が付与されたファイル）については、削除ファイルとして認識する。
Ｄ）上記（Ａ）〜（Ｃ）以外のファイルについては、未変更ファイルとして認識する。
【００７２】
そして、上記認識に基づき、差分抽出部１１は、新規ファイルおよび変更ファイルとして認識したファイルについては、かかるファイル名のリストを変更ファイルリストとし、一方、削除ファイルとして認識したファイルについては、かかるファイル名のリストを削除ファイルリストとしてそれぞれ作成する（手順４−２）。
【００７３】
次いで、差分抽出部１１が、変更ファイルリスト、削除ファイルリストを暗号化／復号サーバ読み書き部１２に送る（手順４−３）。
【００７４】
暗号化／復号サーバ読み書き部１２は、メイン制御部６から得た変更ファイルリストに対応するファイルを順番にファイル単位でセッション鍵ＳＫｉをパラメータとして各々暗号化し、次いで、このセッション鍵ＳＫｉをサーバＳ１上に設けられた公開鍵ＹＫｉをパラメータとして暗号化した後、セッション鍵ＳＫｉをファイル毎に付加し、サーバＳ１上の当該ＩＣカード３のユーザＩＤ（ユーザＩＤ＝ｉ）の領域に暗号化差分ファイル群Ｄ１２としてユニークなファイル名（例えば、１、２、３というシリアル番号等）を付与してコピーする一方、差分抽出部１１から送られた削除ファイルリストに対応するファイルを、サーバＳ１上の当該ＩＣカード３のユーザＩＤ（ユーザＩＤ＝ｉ）の領域の暗号化差分ファイル群Ｄ１２から削除する。また、上述したように作成されたファイルリストＦＬ２ｉをファイルＦＬ１ｉにコピーしてサーバＳ１上に暗号化差分ファイルと共に保存する（手順４−４）。
【００７５】
ここで、サーバＳ１は、ユーザが共同利用パソコンＣ１ｊを利用するごとに暗号化差分情報を受取って記憶するとき、暗号化差分情報とユーザが前回に利用したときに記憶した暗号化差分情報との差分を今回の暗号化差分情報として記憶し、ユーザごとに予め設定された利用回数を超えて暗号化差分情報を蓄積したか否かを判定し、ユーザごとに予め設定された利用回数を超えて暗号化差分情報を蓄積したと判定したとき、ユーザに対応する暗号化差分情報の内で蓄積したときの最も古いものと最も古いものの次に古いものとをマージして一つの暗号化差分情報として記憶する。
【００７６】
一方、共同利用パソコンＣ１ｊは、ユーザが利用開始時にサーバＳ１に蓄積されたユーザに対応する暗号化差分情報の中からいずれかを選択したとき、ユーザが選択した暗号化差分情報をサーバＳ１からダウンロードし、暗号化差分情報を復号し、復号された差分情報に基いてユーザに対応するユーザ環境を復元する。さらに、共同利用パソコンＣ１ｊは、ユーザごとに利用開始時から利用終了時までの期間に抽出する差分情報を定期的にサーバＳ１にバックアップする。さらに、共同利用パソコンＣ１ｊは、ユーザがサーバＳ１に蓄積された差分情報に含まれる特定のファイルを指定したとき、特定のファイルに基いてユーザ環境を復元する。
【００７７】
＜＜手順６＞＞
手順６は、２回目以降において同一のユーザが、レンタルオフィスＬＯ１を使用する場合の手順である。まず、ユーザの正当性を認証することが必須となり、手順４に従ってバックアップした暗号化差分ファイル群Ｄ１２を共同利用パソコンＣ１ｊ（前回使用した共同利用パソコンである必然性はない）に復元させることになる。
【００７８】
ユーザは、まず共同利用パソコンＣ１ｊに接続したＩＣカードＲ／Ｗ４にユーザＩＤがｉである自分のＩＣカード３を挿入（または提示）する（手順６−１）。次いで、ユーザが、共同利用パソコンＣ１ｊの画面から、上記手順１で事前に登録してある「パスワード」を、図示しない表示画面を見ながら、入力部５によって投入したことに応答し、メイン制御部６が、当該投入されたパスワードを一時的に記憶する（手順６−２）。すると、メイン制御部６は、カード情報読み書き部７に対して、ＩＣカード３に記憶してあるユーザＩＤと秘密鍵ＸＫｉの読み出しを指示すると共に、当該一時的に記憶したパスワードをカード情報読み書き部７に一時的に渡す（手順６−３）。
【００７９】
カード情報読み書き部７が、当該指示およびパスワードを一時的に受け取ると、受け取ったパスワードをＩＣカード３上で照合の上、メイン制御部６にユーザＩＤ（ここでは、ｉ）および秘密鍵ＸＫｉを渡す（手順６−４）。
【００８０】
このとき、メイン制御部６は、サーバＳ１上のユーザＩＤがｉに対応するレコードを検索して当該レコード上のユーザＩＤとパスワードを読み出した後、ユーザＩＤとパスワードとがユーザが入力したデータと同一か判断して確認した上で、暗号化／復号サーバ読み書き部１２にリストア指示を送る（手順６−５）。このとき、一時的に記憶したパスワードを削除する。
【００８１】
その後、暗号化／復号サーバ読み書き部１２は、メイン制御部６からのユーザＩＤおよび秘密鍵ＸＫｉとを受け取り、暗号化差分ファイル群Ｄ１２のファイル群をセッション鍵ＳＫｉと共に順番に読み出し、セッション鍵ＳＫｉを秘密鍵ＸＫｉで復号した後、復号されたセッション鍵ＳＫｉでファイル群を復号し、逐次ハードディスクＨＤの第１の記憶領域ＨＤ１に書き込む（手順６−６）。
【００８２】
このように、共同利用パソコンＣ１ｊの使用開始時にサーバＳ１の暗号化差分ファイル群Ｄ１２に記憶された暗号化差分情報を復号した後、ＩＣカード３を共同利用パソコンＣ１ｊから外すことができ、ユーザが共同利用パソコンＣ１ｊから離れたりするとき等にＩＣカード３が共同利用パソコンＣ１ｊから抜き取られて秘密鍵ＸＫｉが第三者の手に渡ることがない。また、秘密鍵ＸＫｉを共同利用パソコンＣ１ｊの利用終了時まで共同利用パソコンＣ１ｊに保持して消去する必要がないので、秘密鍵ＸＫｉを共同利用パソコンＣ１ｊから消去し忘れることによって第三者の手に渡ることがない。
【００８３】
ここで、サーバＳ１は、ユーザが共同利用パソコンＣ１ｊを利用するごとに暗号化差分情報を受け取って記憶するとき、暗号化差分情報とユーザが前回に利用したときに記憶した暗号化差分情報との差分を今回の暗号化差分情報として記憶し、ユーザごとに予め設定された利用回数を超えて暗号化差分情報を蓄積したか否かを判定し、ユーザごとに予め設定された利用回数を超えて暗号化差分情報を蓄積したと判定したとき、ユーザに対応する暗号化差分情報の内で蓄積したときの最も古いものと最も古いものの次に古いものとをマージして一つの暗号化差分情報として記憶する。
【００８４】
一方、共同利用パソコンＣ１ｊは、ユーザが利用開始時にサーバＳ１に蓄積されたユーザに対応する暗号化差分情報の中からいずれかを選択したとき、ユーザが選択した暗号化差分情報をサーバＳ１からダウンロードし、暗号化差分情報を復号し、復号された差分情報に基いてユーザに対応するユーザ環境を復元する。さらに、共同利用パソコンＣ１ｊは、ユーザごとに利用開始時から利用終了時までの期間に抽出する差分情報を定期的にサーバＳ１にバックアップする。さらに、共同利用パソコンＣ１ｊは、ユーザがサーバＳ１に蓄積された差分情報に含まれる特定のファイルを指定するとき、特定のファイルに基いてユーザ環境を復元する。
【００８５】
＜＜手順７＞＞
また、共同利用コンピュータシステム１００は、共同利用パソコンを構成の一要素とするため、一人のユーザに係る情報の安全性を確保すると共に、不特定多数のユーザの内、いずれのユーザにも対応できるよう共同利用パソコンを使用する際に、同一の環境を整備しておく必要性がある。その作業が共通初期環境の復元である。
【００８６】
ユーザは、手順７で作成した起動用記録媒体（例えば、起動用ＣＤＲＯＭ）を共同利用パソコンＣ１ｊに付属する起動用記録媒体ドライブ（例えば、ＣＤＲＯＭドライブ）に挿入し、共同利用パソコンＣ１ｊの電源を投入する。すると、例えばＣＤＲＯＭからブート後に第１の記憶領域ＨＤ１に共通初期環境を展開することになる。
【００８７】
また、それ以外に、第２の記憶領域ＨＤ２のＯＳを起動して第２の記憶領域ＨＤ２上の共通初期環境を第１の記憶領域ＨＤ１に展開する方法もある。なお、上述したＣＤＲＯＭから共通初期環境をブートするのに代えて共同利用パソコンＣ１ｊと通信可能な図示しないネットワーク上のサーバからブートしてもよい。
【００８８】
＜＜手順８＞＞
なお、例えば、図１の共同利用コンピュータシステム１００によって、会社Ｃの自己専用パソコンＣＣからの上記手順１を踏まない場合、すなわち、レンタルオフィスＬＯ１を使用したいと俄かに思い立ったとき、また、特に手順１を行うまでの当該ユーザ情報の登録の手間を惜しまない場合では、レンタルオフィスＬＯ１に赴き、共通初期環境下で、以下の手順８を踏むことになる。
【００８９】
ユーザは、まず、共同利用パソコンＣ１ｊに接続したＩＣカードＲ／Ｗ４にユーザＩＤがｉである自分のＩＣカード３を挿入（または提示）する（手順８−１）。次いで、ユーザは、共同利用パソコンＣ１ｊの画面から、「ユーザＩＤ、パスワード、およびカード発行時にユーザのみがカードにアクセス可能に設定したパスワード」を、図示しない表示画面を見ながら、入力部５によって投入し、メイン制御部６が、当該投入されたデータ群を記憶する（手順８−２）。
【００９０】
次いで、メイン制御部６は、カード情報読み書き部７に対して、ＩＣカード３に記憶してあるユーザＩＤと鍵Ｘｉの読み出しを指示すると共に、当該記憶したパスワードをカード情報読み書き部７に渡す（手順８−３）。以上は、上記手順６と同じ手順を行うことで達成できるものであり、実施（プログラム化等）の際の手間を省くことができる。また、ユーザＩＤおよびパスワードは、かかる時（または暗号化差分バックアップ処理の最初に）、サーバＳ１のユーザ情報データベースＤ１１に設定されることになる。
【００９１】
ここで、手順の流れを整理すると、図６のようになる。共同利用コンピュータシステムの共同利用パソコンの使用に関する標準的な手順は、ステップＳＴ１→ステップＳＴ２→ステップＳＴ３→ステップＳＴ４→ステップＳＴ５→ステップＳＴ１０→ステップＳＴ１１→ステップＳＴ１２→（ステップＳＴ１３→）ステップＳＴ１４→ステップＳＴ１→ステップＳＴ８→ステップＳＴ９→ステップＳＴ１０→ステップＳＴ１１→ステップＳＴ１２→（ステップＳＴ１３→）ステップＳＴ１４→・・である。ここで、共同利用パソコンは、共通初期環境の復元がなされているものとする。
【００９２】
まず、ユーザとして共同利用パソコンを使用した経験の有無により（ステップＳＴ１）、使用経験なしの場合には、共同利用パソコンのユーザ登録を事前に行うか否かの判断をすることになる（ステップＳＴ２）。
【００９３】
ステップＳＴ２で事前にユーザ登録をする場合には、上記手順１を踏むことになる（ステップＳＴ３）。ステップＳＴ３を経たユーザは、現に共同利用パソコンを使用しようとするか否かにより（ステップＳＴ４）、使用しようとすれば、上記手順２を踏むことになる（ステップＳＴ５）。一方、ステップＳＴ２で事前にユーザ登録しない場合であって、現に共同利用パソコンを使用しようとすれば（ステップＳＴ６）、上記手順１、手順２を踏むことなしに、上記手順８を踏むことになる（ステップＳＴ７）。また、ステップＳＴ１において過去に共同利用パソコンを使用した経験があって、現に共同利用パソコンを使用しようとするか否かにより（ステップＳＴ８）、使用しようとすれば、上記手順６を踏むことになる（ステップＳＴ９）。
【００９４】
ステップＳＴ５、ステップＳＴ７、ステップＳＴ９を経た場合には、ユーザは共同利用パソコンを使用して（ステップＳＴ１０）、当該使用中または使用後に、上記手順５により差分情報の暗号文を記憶させ（ステップＳＴ１１）、ユーザ自身がハードディスクＨＤの第１の記憶領域ＨＤ１をフォーマットするか否かにより（ステップＳＴ１２）、ステップＳＴ１２で“ＹＥＳ”の場合には第１の記憶領域ＨＤ１のフォーマットを経由して（ステップＳＴ１３）、共通初期環境の復元を行うことになる（ステップＳＴ１４）。
【００９５】
なお、ステップＳＴ１２で“Ｎｏ”であっても、ステップＳＴ１４において、共通初期環境が復元されるときに実質的にフォーマットされることになるので、ステップＳＴ１３を行うことは必須ではない。単なるユーザに安心感を与えるに過ぎない。そして、ステップＳＴ１４を経ると、再度、ステップＳＴ１に戻ることになる。なお、ステップＳＴ１４は、共同利用パソコンを管理する管理者、または提供者が行うことが標準となるが、不特定多数のユーザのいずれが行ってもよい。
【００９６】
なお、このプロセスは、本発明の特徴を一側面から示したものであり、下記する効果を奏する範囲において、また、システムの構成態様に応じて、適宜変更実施し得るものである。
【００９７】
以上、本発明の実施形態を説明したが、本発明は、必ずしも上記した事項に限定されるものではなく、本発明の目的を達し、下記する効果を奏する範囲において、適宜変更実施可能である。
【産業上の利用可能性】
【００９８】
以上のように、本発明による共同利用コンピュータのユーザ環境情報蓄積方法は、ユーザ環境情報の情報量が膨らむことを比較的抑えてユーザ環境情報を蓄積するという効果を有し、不特定多数のユーザによって利用される複数の共同利用パソコンとを備えた共同利用コンピュータシステムにおける複数の共同利用コンピュータシステムのユーザ環境情報蓄積方法として有用である。
【図面の簡単な説明】
【００９９】
【図１】本発明の共同利用コンピュータシステムのユーザ環境情報蓄積方法に基いて初期環境を更新可能な一実施形態の共同利用コンピュータシステムの構成図である。
【図２】図１に示された共同利用コンピュータシステムの構成とは別の共同利用コンピュータシステムの構成図である。
【図３】図１および図２に示された共同利用コンピュータシステムの構成とは別の共同利用コンピュータシステムの構成図である。
【図４】図１に示された共同利用コンピュータシステムと類似した共同利用コンピュータシステムの構成図である。
【図５】図１における共同利用コンピュータシステムにおける内部の構成図である。
【図６】本発明の共同利用コンピュータシステムのユーザ環境情報蓄積方法に基いて初期環境を更新可能な一実施形態の共同利用コンピュータシステムの処理の流れ図である。
【図７】本発明の共同利用コンピュータシステムにおいてサーバに蓄積されたユーザ環境情報を模式的に示した図である。
【符号の説明】
【０１００】
１００、１０１、１０２    共同利用コンピュータシステム
Ｃ    会社
ＣＣ    自己専用パソコン
Ｃ１１、Ｃ１ｊ、ＣＮ１、ＣＮｊ    共同利用パソコン
Ｄ１１    ユーザ情報データベース
Ｄ１２    暗号化差分ファイル群
Ｇ    画面
ＧＷ    ゲートウェイ
ＨＤ    ハードディスク
ＨＤ１    第１の記憶領域
ＨＤ２    第２の記憶領域
ＮＷ    外部通信網
ＮＷＣ、ＮＷ１、ＮＷＮ    内部通信網
Ｌ    ライン
ＬＯ１、ＬＯＮ    レンタルオフィス
３    ＩＣカード
４    ＩＣカードＲ／Ｗ
５    入力手段
６    メイン制御部
７    カード情報読み書き部
１０    共通初期環境復元部
１１    差分抽出部
１２    暗号化／復号サーバ読み書き部
２１    設定登録部
２２    ＣＧＩプログラム
３３    ＷＥＢブラウザ
【図１】
2005149215.tif 000003
【図２】
2005149215.tif 000004
【図３】
2005149215.tif 000005
【図４】
2005149215.tif 000006
【図５】
2005149215.tif 000007
【図６】
2005149215.tif 000008
【図７】
2005149215.tif 000009